(57)【要約】【課題】畳の芯材，洋間のマット，ソファ・椅子のクッション材，自動車用座席及びヘッドレストのクッション材，布団・座蒲団のクッション材，押入れ収納庫の結露防止壁材，ペット用寝床材等に好適に使用できる消臭・分解作用，結露防止作用，吸放湿調整作用，マイナスイオン放射等の効力を備えた発泡成形品を提供する。【解決手段】連続気泡を形成できる合成樹脂材に粒状のトルマリン鉱石を３〜４０重量％と，粒状の活性炭又は木質炭化物３〜２０重量％と，粒状のシリカゲル等の吸湿材を３〜２０重量％とを均一に混合した後発泡させる固化剤を添加して発泡成形する。【選択図】　　　　　図２
2004009563.tif 000002
【特許請求の範囲】
【請求項１】
連続気泡を形成できる合成樹脂材にマイナスイオンを発生させる粒状の鉱石を均一に混合した後発泡させる固化剤を添加した原材料を所定の形状に発泡成形し、発泡成形品内に前記鉱石を分散配置し、連続気泡内を流通する空気と鉱石との接触性を良好なものにして鉱石の効力を高めるようにした発泡成形品。
【請求項２】
連続気泡を形成できる合成樹脂材に粒状の活性炭又は木質炭化物を均一に混合した後発泡させる固化剤を添加した原材料を所定の形状に発泡成形し、発泡成形品内に活性炭又は木質炭化物を分散配置し、連続気泡内を流通する空気と活性炭又は木質炭化物との接触性を良好なものにして活性炭又は木質炭化物の効力を高めるようにした発泡成形品。
【請求項３】
連続気泡を形成できる合成樹脂材にマイナスイオンを発生させる粒状の鉱石及び粒状の活性炭又は木質炭化物を均一に混合した後発泡させる固化剤を添加した原材料を所定の形状に発泡成形し、発泡成形品内に前記鉱石及び活性炭又は木質炭化物を分散配置し、連続気泡内を流通する空気と鉱石及び活性炭又は木質炭化物との接触性を良好なものにして鉱石及び活性炭又は木質炭化物の効力を高めるようにした発泡成形品。
【請求項４】
連続気泡を形成できる合成樹脂材にマイナスイオンを発生させる粒状の鉱石及び粒状の活性炭又は木質炭化物及び粒状の吸湿材を均一に混合した後発生させる固化剤を添加した原材料を所定の形状に発泡成形し、発泡成形品内に前記鉱石及び活性炭又は木質炭化物及び吸湿材を分散配置し、連続気泡内を流通する空気と鉱石及び活性炭又は木質炭化物及び吸湿材との接触性を良好なものにして鉱石及び活性炭又は木質炭化物及び吸湿材の効力を高めるようにした発泡成形品。
【請求項５】
鉱石を原材料の総重量中３〜４０重量％の割合で混合した請求項１又は３又は４記載の発泡成形品。
【請求項６】
鉱石がトルマリンである請求項５記載の発泡成形品。
【請求項７】
活性炭又は木質炭化物を原材料の総重量中３〜２０重量％の割合で混合し、連続気泡を通じて脱臭できるようにした請求項２〜４いずれか記載の発泡成形品。
【請求項８】
吸湿材を原材料の総重量中３〜２０重量％の割合で混合し、連続気泡を通じて吸湿できるようにした請求項４いずれか記載の発泡成形品。
【請求項９】
吸湿材がシリカゲルである請求項８記載の発泡成形品。
【請求項１０】
合成樹脂材が発泡固化後軟質を示すものである請求項１〜９いずれか記載の発泡成形品。
【請求項１１】
合成樹脂材が発泡固化後硬質を示すものである請求項１〜９いずれか記載の発泡成形品。
【請求項１２】
請求項１０記載の発泡成形品を通気性を有する布カバーで封止したクッション材。
【請求項１３】
請求項１１記載の発泡成形品の表面に畳表を被覆した畳。
【請求項１４】
請求項１１記載の発泡成形品を躯体壁面に取り付けた壁構造。
【請求項１５】
請求項１０又は１１記載の発泡成形品を木質板又は硬質板に貼り合わせた建築用ボード。
【発明の詳細な説明】
【０００１】
【発明の属する技術分野】
本発明は、畳の芯材，洋間のマット・布団・座蒲団等のクッション材，押入れ収納庫の結露防止壁材，ペット用（犬猫など）の寝床材等に用いられる消臭・分解作用，結露防止作用，吸放湿調整作用等の効力を備えた発泡成形品に関する。
【０００２】
【従来の技術】
従来、畳の芯材，洋間のマット・布団・座蒲団のクッション材としてはウレタンフォーム等の発泡合成樹脂体が一般的に用いられている。この発泡合成樹脂体は適度な弾性と変形後の復元力を備えたものや防音・断熱性を示すもの等様々なものがあり、実用に供している。
近年ではこれらの発泡合成樹脂体に更に新規な付加価値を付与したものが求められている。本発明者はそのような事情に鑑みて検討の結果、これらの発泡合成樹脂体に比較的容易な方法で新たに消臭・分解作用や結露防止作用，吸放湿調整作用，マイナスイオン放射等を付加できることを見出し、本発明を完成させた。
【０００３】
【発明が解決しようとする課題】
本発明が解決しようとする課題は、従来のこれらの問題点を解消し、畳の芯材，洋間のマット・布団・座蒲団のクッション材，押入れ収納庫の結露防止壁材，ペット用寝床材等に好適に使用できる消臭・分解作用，結露防止作用，吸放湿調整作用，マイナスイオン放射等の効力を備えた発泡成形品を提供することにある。
【０００４】
【課題を解決するための手段】
かかる課題を解決した本発明の構成は、
１）　連続気泡を形成できる合成樹脂材にマイナスイオンを発生させる粒状の鉱石を均一に混合した後発泡させる固化剤を添加した原材料を所定の形状に発泡成形し、発泡成形品内に前記鉱石を分散配置し、連続気泡内を流通する空気と鉱石との接触性を良好なものにして鉱石の効力を高めるようにした発泡成形品
２）　連続気泡を形成できる合成樹脂材に粒状の活性炭又は木質炭化物を均一に混合した後発泡させる固化剤を添加した原材料を所定の形状に発泡成形し、発泡成形品内に活性炭又は木質炭化物を分散配置し、連続気泡内を流通する空気と活性炭又は木質炭化物との接触性を良好なものにして活性炭又は木質炭化物の効力を高めるようにした発泡成形品
３）　連続気泡を形成できる合成樹脂材にマイナスイオンを発生させる粒状の鉱石及び粒状の活性炭又は木質炭化物を均一に混合した後発泡させる固化剤を添加した原材料を所定の形状に発泡成形し、発泡成形品内に前記鉱石及び活性炭又は木質炭化物を分散配置し、連続気泡内を流通する空気と鉱石及び活性炭又は木質炭化物との接触性を良好なものにして鉱石及び活性炭又は木質炭化物の効力を高めるようにした発泡成形品
４）　連続気泡を形成できる合成樹脂材にマイナスイオンを発生させる粒状の鉱石及び粒状の活性炭又は木質炭化物及び粒状の吸湿材を均一に混合した後発生させる固化剤を添加した原材料を所定の形状に発泡成形し、発泡成形品内に前記鉱石及び活性炭又は木質炭化物及び吸湿材を分散配置し、連続気泡内を流通する空気と鉱石及び活性炭又は木質炭化物及び吸湿材との接触性を良好なものにして鉱石及び活性炭又は木質炭化物及び吸湿材の効力を高めるようにした発泡成形品
５）　鉱石を原材料の総重量中３〜４０重量％の割合で混合した前記１）又は３）又は４）記載の発泡成形品
６）　鉱石がトルマリンである前記５）記載の発泡成形品
７）　活性炭又は木質炭化物を原材料の総重量中３〜２０重量％の割合で混合し、連続気泡を通じて脱臭できるようにした前記２）〜４）いずれか記載の発泡成形品
８）　吸湿材を原材料の総重量中３〜２０重量％の割合で混合し、連続気泡を通じて吸湿できるようにした前記４）いずれか記載の発泡成形品
９）　吸湿材がシリカゲルである前記８）記載の発泡成形品
１０）　合成樹脂材が発泡固化後軟質を示すものである前記１）〜９）いずれか記載の発泡成形品
１１）　合成樹脂材が発泡固化後硬質を示すものである前記１）〜９）いずれか記載の発泡成形品
１２）　前記１０）記載の発泡成形品を通気性を有する布カバーで封止したクッション材
１３）　前記１１）記載の発泡成形品の表面に畳表を被覆した畳
１４）　前記１１）記載の発泡成形品を躯体壁面に取り付けた壁構造
１５）　前記１０）又は１１）記載の発泡成形品を木質板又は硬質板に貼り合わせた建築用ボード
にある。
【０００５】
【作用】
本発明では、トルマリン等の鉱石を混合させたから、マイナスイオンや高遠赤外線エネルギー，その他放射性エネルギーを恒久的に放射して人体に有用な影響を与え、有機，無機の公害的悪臭を消去するとともに活性酸素を抑制して室内の環境が改善される。
活性炭又は木質炭化物を混合したものは、他の建築資材から放散した室内に充満するＶＯＣ等の悪臭を吸着して除臭され、さらに吸湿性，断熱性も同時に付与される。
シリカゲル等の吸湿材を混合したものは、吸湿効果を発揮して室内空間が快適な湿度に調湿される。
【０００６】
【発明の実施の形態】
本発明のマイナスイオンを発生させる鉱石としてはトルマリンがあり、その組成としては、ＳｉＯ２（二酸化珪素），ＭｇＯ（酸化マグネシウム），Ａｌ２Ｏ３（酸化アルミニウム），Ｋ２Ｏ（酸化カリウム），Ｆｅ２Ｏ３（酸化鉄）の基本金属酸化物と、Ｖ（バナジウム），Ｒｎ（ラドン），Ｒｄ（ルビジウム），Ｔｉ（チタン），Ｚｒ（ジルコニウム）等の微量金属元素と、Ｌａ（ランタン），Ｌｕ（ルテニウム），Ｅｒ（エルビウム）等の希土類元素とを多種含有し、それらの元素の働きにより放射性エネルギー，高遠赤外線エネルギー，マイナスイオンを恒久的に放射するものである。これを直径１〜２ｍｍ程の粒状に形成して重量比３〜４０％混合する。
活性炭又は木質炭化物の混合量は重量比３〜２０％で、直径１〜２ｍｍ程の粒状であることが望ましく、粉状では発泡成形品の気泡から脱落して外部を汚染する恐れがある。
シリカゲル等の吸湿材は必要に応じて混合し、混合量としては重量比３〜２０％でよい。
いずれの混合量も求められる製品の効果やコストの許容できる範囲で、これらから逸脱する量は効果が不足したりコストが上昇して好ましくない。
本発明の発泡成形品は、畳の芯材，洋間のマット・布団や座蒲団のクッション材，ソファ・椅子のクッション材，自動車用座席及びヘッドレストのクッション材，押入れ収納庫の結露防止壁材，家屋の内壁材，ペット用（犬猫など）寝床材等として好ましく使用できる。
以下、本発明の実施例を図面に基づいて具体的に説明する。
【０００７】
【実施例】
図１〜６に示す実施例は、本発明の発泡成形品を畳の芯材，ベッドマット，座蒲団のクッション材，収納庫の内壁材，建築用ボードに適用した例である。
図１は、実施例の発泡成形品の製造工程を示す説明図である。
図２は、実施例の畳の一部切欠斜視図である。
図３は、実施例のベッドマットの一部切欠斜視図である。
図４は、実施例の座蒲団の一部切欠斜視図である。
図５は、実施例の収納庫の壁構造の断面図である。
図６は、実施例の建築用ボードの一部切欠斜視図である。
図中、１は発泡成形品、１ａは気泡、２は畳、３は畳表、４はベッド、５はベッドマット、６は土台、７は脚、８は座蒲団、９は布カバー、１０は収納庫、１１は胴縁、１２は躯体壁、１３は硬質板、１４は多孔を形成した通気性を有する表面シート、１４ａは孔である。
【０００８】
本実施例では、以下の表１に示す混合比で実施する。まず、図１に示すように粒径２ｍｍに形成したトルマリン鉱石と粒径２ｍｍの活性炭、粒径１ｍｍのシリカゲルを樹脂Ａ液に混合して充分に撹拌を行う。
次に、この中に固化剤Ｂ液を添加して速やかに撹拌（１０〜１５秒）し、直ちに５リットルの容器に注入後加圧封入し、およそ１３〜１３．５倍の発泡倍率を有する連続気泡が形成されたブロック状の発泡成形品を得る。
【０００９】
【表１】
2004009563.tif 000003
【００１０】
得られた発泡成形品は３〜５０ｍｍの各厚さにスライス製板し、図２〜６に示すように表面に畳表３を被覆して畳２としたり、布カバーで封止してベッドマット５や座蒲団８としたり、躯体壁１２の胴縁１１に取り付けたり、硬質板１３の片面に貼り合わせて通気性を有する表面シート１４で化粧を施して家屋の内壁材用の建築用ボードとしたりするなど様々な用途に適用される。
【００１１】
本実施例ではこのように構成したから、トルマリン等の鉱石を混合させたことによりマイナスイオンや高遠赤外線エネルギー，その他放射性エネルギーを恒久的に放射し、畳の芯材やベッドマットの芯材，座蒲団のクッション材として使用した場合、人体に有用な影響を与えて生命体の各機能を高め健康体を保持できる。
また、活性炭を混合させたことにより他の建築資材から放散した室内に充満するＶＯＣ等の悪臭を吸着して除臭し、アトピー性皮膚炎やシックハウス症候群等を抑制でき、しかもその他体臭等も消臭して室内空間を快適なものにできる。
さらに、シリカゲル等の吸湿材を混合させたことにより吸湿性が付与され、収納庫など閉塞空間で生じ易い結露を適度な湿度に調湿して防止できる。
【００１２】
【発明の効果】
以上説明したように、本発明によれば連続気泡を有する軟質又は硬質の軽量なボードやマット等の発泡成形品に生活空間の環境改善を主目的とする効果を発揮させる数種の粒体を混合することで、マイナスイオンの発生に伴う消臭，分解作用，抗活性酸素作用，細胞賦活作用，発泡による防音，断熱，結露防止，活性炭による脱臭効果，シリカゲル等の吸湿材による湿度調整効果，生活環境病，ストレス，シックハウス症候群抑制等の効力を有する様々な用途に適用できる発泡成形品を提供できる。
【図面の簡単な説明】
【図１】実施例の発泡成形品の製造工程を示す説明図である。
【図２】実施例の畳の一部切欠斜視図である。
【図３】実施例のベッドマットの一部切欠斜視図である。
【図４】実施例の座蒲団の一部切欠斜視図である。
【図５】実施例の収納庫の壁構造の断面図である。
【図６】実施例の建築用ボードの一部切欠斜視図である。
【符号の説明】
１　発泡成形品
１ａ　気泡
２　畳
３　畳表
４　ベッド
５　ベッドマット
６　土台
７　脚
８　座蒲団
９　布カバー
１０　収納庫
１１　胴縁
１２　躯体壁
１３　硬質板
１４　表面シート
１４ａ　孔
【図１】
2004009563.tif 000004
【図２】
2004009563.tif 000005
【図３】
2004009563.tif 000006
【図４】
2004009563.tif 000007
【図５】
2004009563.tif 000008
【図６】
2004009563.tif 000009